(57)【特許請求の範囲】
【請求項１】
既設の不透過型砂防堰堤に流木捕捉工を設けて改良する砂防堰堤改良構造であって、
鋼管柱材と鋼管梁材とを縦横に接合してなる流木捕捉部材を、前記砂防堰堤の両袖部からそれぞれ上流側へ突き出した繋ぎ材と接合することにより、当該流木捕捉部材が前記砂防堰堤から上流側へ張り出して設けられてなること、
前記鋼管梁材と前記砂防堰堤とこれらを繋ぐ前記繋ぎ材とで、平面方向からみると、略枠状のポケットを形成する構成であること、
を特徴とする、砂防堰堤改良構造。
【請求項２】
既設の不透過型砂防堰堤に流木捕捉工を設けて改良する砂防堰堤改良構造であって、
前記砂防堰堤の両袖部の上流側側面間に鋼管梁材が架設され、前記鋼管梁材から上流側へ突き出した繋ぎ材により鋼管柱材が前記砂防堰堤から上流側へ張り出して設けられてなることを特徴とする、砂防堰堤改良構造。
【請求項３】
前記鋼管柱材は、コンクリート基礎に設置されていることを特徴とする、請求項１又は２に記載した砂防堰堤改良構造。
【請求項４】
前記鋼管柱材は、前記砂防堰堤の袖部間に形成された水通し部の面外方向に配設されていることを特徴とする、請求項１〜３のいずれか一に記載した砂防堰堤改良構造。
【請求項５】
前記流木捕捉部材は、上流側からみて鳥居状に形成されていることを特徴とする、請求項１に記載した砂防堰堤改良構造。
【請求項６】
既設の不透過型砂防堰堤に流木捕捉工を設けて改良する砂防堰堤改良工法であって、
鋼管柱材と鋼管梁材とを縦横に接合してなる流木捕捉部材を、前記砂防堰堤の両袖部からそれぞれ上流側へ突き出した繋ぎ材と接合することにより、当該流木捕捉部材を前記砂防堰堤から上流側へ張り出して設けると共に、前記鋼管梁材と前記砂防堰堤とこれらを繋ぐ前記繋ぎ材とで平面方向からみると略枠状のポケットを形成することを特徴とする、砂防堰堤改良工法。
【請求項７】
既設の不透過型砂防堰堤に流木捕捉工を設けて改良する砂防堰堤改良工法であって、
前記砂防堰堤の両袖部の上流側側面間に鋼管梁材を架設し、前記鋼管梁材から上流側へ突き出した繋ぎ材により鋼管柱材を前記砂防堰堤から上流側へ張り出して設けることを特徴とする、砂防堰堤改良工法。
【発明の詳細な説明】
【技術分野】
【０００１】
この発明は、既設の不透過型砂防堰堤（不透過型コンクリート砂防堰堤ともいう。）に流木捕捉工を設けて（付加して）なる構成の砂防堰堤改良構造および砂防堰堤改良工法の技術分野に属する。
【背景技術】
【０００２】
近年、既設の不透過型砂防堰堤（以下適宜、既設堰堤と略す。）について、下流での災害をより効率よく防止するべく、前記既設堰堤に流木捕捉工（流木捕捉機能）を導入して改良する要請がある。
前記既設堰堤に流木捕捉工を導入して改良する発明そのものが開示された特許文献等は見当たらない。しかし、実施工においては、水通し部を閉塞させないように、既設堰堤の水通し部を切削（開削）するか、両袖部の嵩上げを行い、例えば、特許文献１〜４に開示された発明等に倣い、砂防堰堤の袖部間の面内方向（水通し部）に流木捕捉工（鋼管フレーム部材）を設置して改良していた。
【先行技術文献】
【特許文献】
【０００３】
【特許文献１】実公昭５５−１０４３６号公報
【特許文献２】実公平０５−２９２１７号公報
【特許文献３】特開２００７−２７７９７２号公報
【特許文献４】特開２０１２−２０７３７２号公報
【発明の概要】
【発明が解決しようとする課題】
【０００４】
しかしながら、上述した従来工法は、以下のような課題がある。
（１）前記流木捕捉工（鋼管フレーム部材）を設置するための準備段階として、前記既設堰堤を切削、又は嵩上げする等、大掛かりな作業を伴うので、工期が長期化し、コストが嵩むという問題があった。
（２）前記大掛かりな作業に加え、前記既設堰堤の堤体内、より詳しくいえば袖部間の面内方向に鋼管フレーム部材を設置することを前提としているため、堤体内の基礎部（天端部）又は側部で支持できるよう、堤体断面を大きくする作業を行う必要があった。よって、さらに工期が長期化し、コストが嵩むという問題があった。また、堤体断面を大きくする際、前記既設堰堤の上流側が満砂状態の場合には、既設堰堤の底面部までの堆積土砂の浚渫作業、これに伴う堆積土砂の運搬作業がさらに必要となり、前記問題がさらに顕著化する問題もあった。
（３）既設堰堤の面内方向で流木を捕捉する構造であるが故に、流木を捕捉した後の除木作業においては、必然的に、堤体内部にまで入り込んだ流木を除去する必要があった。そのため、両袖部の存在による制約を受けた煩雑な除木作業を強いられ、作業効率がわるかった。
（４）鋼管フレーム部材が流木等の衝突により損傷を受けたとき、同部材を交換する際に鋼管フレーム部材の埋め込み部のコンクリート破砕作業、再打設作業等を行う場合があるが、これらの種々の作業は、袖部間の面内で行わねばならず、袖部の存在による制約を受けたり、高所作業となる場合がある等、作業効率がわるかった。
【０００５】
本発明は、上述した背景技術の課題に鑑みて案出されたものであり、その目的とするところは、鋼管柱材を既設堰堤から張り出した張り出し構造とすることにより、既設堰堤を切削又は嵩上げする等の大掛かりな作業を省略して実現できる、施工性、経済性に優れた砂防堰堤改良構造および砂防堰堤改良工法を提供することにある。
【課題を解決するための手段】
【０００６】
上記課題を解決するための手段として、請求項１に記載した発明に係る砂防堰堤改良構造は、既設の不透過型砂防堰堤に流木捕捉工を設けて改良する砂防堰堤改良構造であって、鋼管柱材と鋼管梁材とを縦横に接合してなる流木捕捉部材を、前記砂防堰堤の両袖部からそれぞれ上流側へ突き出した繋ぎ材と接合することにより、当該流木捕捉部材が前記砂防堰堤から上流側へ張り出して設けられてなること、
前記鋼管梁材と前記砂防堰堤とこれらを繋ぐ前記繋ぎ材とで、平面方向からみると、略枠状のポケットを形成する構成であること、を特徴とする。
【０００７】
請求項２に記載した発明に係る砂防堰堤改良構造は、既設の不透過型砂防堰堤に流木捕捉工を設けて改良する砂防堰堤改良構造であって、前記砂防堰堤の両袖部の上流側側面間に鋼管梁材が架設され、前記鋼管梁材から上流側へ突き出した繋ぎ材により鋼管柱材が前記砂防堰堤から上流側へ張り出して設けられてなることを特徴とする。
【０００８】
請求項３に記載した発明は、請求項１又は２に記載した砂防堰堤改良構造において、前記鋼管柱材は、コンクリート基礎に設置されていることを特徴とする。
【０００９】
請求項４に記載した発明は、請求項１〜３のいずれか一に記載した砂防堰堤改良構造において、前記鋼管柱材は、前記砂防堰堤の袖部間に形成された水通し部の面外方向に配設されていることを特徴とする。
【００１０】
請求項５に記載した発明は、請求項１に記載した砂防堰堤改良構造において、前記流木捕捉部材は、上流側からみて鳥居状に形成されていることを特徴とする。
【００１１】
請求項６に記載した発明に係る砂防堰堤改良工法は、既設の不透過型砂防堰堤に流木捕捉工を設けて改良する砂防堰堤改良工法であって、鋼管柱材と鋼管梁材とを縦横に接合してなる流木捕捉部材を、前記砂防堰堤の両袖部からそれぞれ上流側へ突き出した繋ぎ材と接合することにより、当該流木捕捉部材を前記砂防堰堤から上流側へ張り出して設けると共に、前記鋼管梁材と前記砂防堰堤とこれらを繋ぐ前記繋ぎ材とで平面方向からみると略枠状のポケットを形成することを特徴とする。
請求項７に記載した発明に係る砂防堰堤改良工法は、既設の不透過型砂防堰堤に流木捕捉工を設けて改良する砂防堰堤改良工法であって、前記砂防堰堤の両袖部の上流側側面間に鋼管梁材を架設し、前記鋼管梁材から上流側へ突き出した繋ぎ材により鋼管柱材を前記砂防堰堤から上流側へ張り出して設けることを特徴とする。
【発明の効果】
【００１２】
本発明に係る砂防堰堤改良構造および砂防堰堤改良工法によれば、以下の作用効果を奏する。
（１）前記砂防堰堤を切削又は嵩上げする等の大掛かりな作業を省略して実現できるので、施工性、経済性に非常に優れている。
（２）鋼管柱材（流木捕捉部材）が、前記既設堰堤から上流側へ張り出した張り出し構造で実施するので、水通し部を閉塞させることなく流木等の流下物を捕捉することが可能となる。
（３）前記流木捕捉部材は、前記砂防堰堤本体とコンクリート基礎とで強固に固定されているので、強度・剛性に非常に優れた張り出し構造を実現することができる。
（４）流木等の流下物を既設堰堤の面外方向に張り出した鋼管柱材等で捕捉する構成なので、流木を捕捉した後の除木作業においては、既設堰堤の両袖部の存在が邪魔にならないオープンスペースでの作業を実現できる。よって、作業効率性に優れる。
（５）前記砂防堰堤が満砂状態の場合でも、土砂浚渫作業は、前記コンクリート基礎を構築するのに必要な領域で実施すれば足りるので、作業性、経済性に優れる。
（６）その他、前記張り出し構造の要所はフランジ接合で実施しているので、交換時の脱着作業や維持管理が容易である。
【図面の簡単な説明】
【００１３】
【図１】Ａは、本発明に係る砂防堰堤改良構造および砂防堰堤改良工法の実施例の要部を側面方向からみた立面図であり、Ｂは、同上流側からみた立面図であり、Ｃは、同平面図である。
【図２】Ａは、本発明に係る砂防堰堤改良構造および砂防堰堤改良工法の異なる実施例の要部を側面方向からみた立面図であり、Ｂは、同上流側からみた立面図であり、Ｃは、同平面図である。
【図３】Ａは、本発明に係る砂防堰堤改良構造および砂防堰堤改良工法のさらに異なる実施例の要部を側面方向からみた立面図であり、Ｂは、同上流側からみた立面図であり、Ｃは、同平面図である。
【発明を実施するための形態】
【００１４】
本発明は、既設の不透過型砂防堰堤を切削又は嵩上げすることなく、前記砂防堰堤の袖部間に形成された水通し部の上流側へ複数の鋼管柱材を設け、前記複数の鋼管柱材を、鋼管梁材および繋ぎ材を介して前記砂防堰堤の両袖部へ剛結して当該複数の鋼管柱材を前記砂防堰堤から上流側へ張り出して設けることにより当該砂防堰堤を改良する技術的思想に立脚している。
以下、本発明に係る砂防堰堤改良構造および砂防堰堤改良工法の実施例を図面に基づいて説明する。
【実施例１】
【００１５】
実施例１にかかる鋼製スリットダムは、図１に示したように、既設の不透過型砂防堰堤１０に流木捕捉工を設けて改良する砂防堰堤改良構造であり、鋼管柱材１と鋼管梁材２とを縦横に接合してなる流木捕捉部材３を、前記砂防堰堤１０の両袖部１１、１１からそれぞれ上流側へ突き出した繋ぎ材４と接合することにより、当該流木捕捉部材３が前記砂防堰堤１０から上流側へ張り出して設けられてなる。
ちなみに図中の矢印は、河川の流れ方向を示し、符号５は、補強リブで補強されたベースプレートを示し、符号６は、フランジ接合（部）を示し、符号７は、アンカーボルトを示し、符号９は、コンクリート基礎を示し、符号１２は、前記砂防堰堤１０の袖部１１、１１間に形成された水通し部を示している。
【００１６】
本実施例に係る流木捕捉部材３は、２本の鋼管柱材１と２本の鋼管梁材２とを、要所でフランジ接合６により適宜継ぎ足して縦横に配置してなる構成で、当該２本の鋼管柱材１の脚部を前記砂防堰堤１０と一体的に設けられたコンクリート基礎９に埋設することにより、略鉛直方向に立設されている。ちなみに本実施例では、２本の鋼管柱材１を２ｍ程度の間隔をあけて、前記水通し部１２の面外方向にバランスよく設けて実施している。
また、前記流木捕捉部材３は、前記２本の鋼管梁材２の両端部を、前記砂防堰堤１０の両袖部１１、１１から上流側に水平に突き出した繋ぎ材４と接合することにより当該砂防堰堤１０に固定されている。前記繋ぎ材４は、その基端部が、ベースプレート５を前記砂防堰堤１０の上流側側面に当てがいアンカーボルト７を打設することにより固定され、その先端部が、前記鋼管梁材２の両端部と溶接により接合されている。
【００１７】
前記要所とは、損傷又は老朽化した鋼管材を容易に交換するのに適した部位、さらに言えばコンクリートを極力破砕せずに交換できる部位を指す。例えば、前記鋼管柱材１は、コンクリート基礎９から立ち上がる鋼管材と切り離して交換できるようにフランジ接合６し、前記鋼管梁材２は、前記砂防堰堤１０から突き出した繋ぎ材４等と切り離して交換できるようにフランジ接合６している。
【００１８】
かくして、前記流木捕捉部材３は、その脚部はコンクリート基礎９に強固に接合され、両腕部（鋼管梁材２の両端部）は繋ぎ材４を介して前記砂防堰堤１０に強固に接合された張り出し構造とされ、平面方向からみると（図１Ｃ参照）、鋼管梁材２と砂防堰堤１０本体とこれらを繋ぐ繋ぎ材４とで、略枠状のポケットＰを形成する構成で実施されている。
【００１９】
なお、前記鋼管柱材１、鋼管梁材２の本数はこれに限定されず、前記砂防堰堤１０の規模、水通し部１２の幅寸、河川の水位及び想定流量、流木を捕捉するのに適正な間隔等に基づいた構造設計に応じて適宜増減される。
また、前記鋼管柱材１、鋼管梁材２から構成される流木捕捉部材３の形態は、本実施例では上流側からみて鳥居状に形成して実施しているがこれに限定されず、前記構造設計に応じて適宜設計変更される。
ちなみに、本実施例に係る流木捕捉部材３は、上流側からみて（図１Ｂ参照）、横方向、すなわち隣接する鋼管柱材１、１同士の間隔、鋼管柱材１と砂防堰堤１０との間隔は２ｍ程度以上開けず、縦方向、すなわち隣接する鋼管梁材２、２同士の間隔や鋼管梁材２とコンクリート基礎９との間隔は１ｍ程度以上開けない構成で実施されている。
【００２０】
前記鋼管柱材１の高さは、一例として、埋め込み長（７５ｃｍ程度）を除外すると２００ｃｍ程度で実施されている。
前記鋼管梁材２の長さは、一例として、上段が１０ｍ程度、下段が８ｍ程度で実施されている。
前記繋ぎ材４の突き出し寸法は、一例として、１５０ｃｍ程度で実施されている。
鋼管のサイズは、共通して、外径（φ）２０ｃｍ程度、肉厚９ｍｍ程度が用いられる。
なお、前記各数値は勿論これに限定されず、前記構造設計に応じて適宜設計変更可能である。例えば、前記鋼管柱材１の高さは埋め込み長を除外して１〜３ｍの範囲内、埋め込み長は７０〜１００ｃｍ程度、使用する鋼管径は２０〜５０ｃｍ程度、鋼管肉厚は８〜１６ｍｍ程度の範囲内が好適とされる。もっとも、前記鋼管柱材１の頂部、及び同頂部へ接合される上段の鋼管梁材２の高さ位置は、流木等の流下物を効果的に捕捉できるように河川の水位よりも若干高く設定されている。
【００２１】
上記構成の砂防堰堤改良構造は、要するに、前記砂防堰堤１０を切削又は嵩上げすることなく、前記砂防堰堤１０の袖部１１、１１間に形成された水通し部１２の上流側へ複数（２本）の鋼管柱材１を設け、前記複数の鋼管柱材１を、鋼管梁材２および繋ぎ材４を介して前記砂防堰堤１０の両袖部１１、１１へ剛結することにより、当該複数の鋼管柱材１を前記砂防堰堤１０から上流側へ張り出して設ける手段で実現される。
【００２２】
具体的に、本実施例では、前記砂防堰堤１０の水通し部１２の上流側における前記鋼管柱材１（捕捉部材３）を立設するのに必要な領域内にコンクリートを打設し、前記砂防堰堤１０本体と一体化したコンクリート基礎９を構築する。前記コンクリート基礎９は先ず、鋼管柱材１の（下方部材の）ベースプレート底面を設置する高さまでコンクリートを打設し、前記ベースプレートをアンカーボルトで固定して鋼管柱材１の下方部材を立ち上げた上で、更にコンクリートを７５ｃｍ程度の高さまで打設する工程を経て構築する。
前記工程と並行に又は前後して、前記砂防堰堤１０の両袖部１１、１１にそれぞれ、上記構成のベースプレート５を備えた繋ぎ材４、鋼管梁材２の端部とＬ字状に形成した繋ぎ材４を順に接合することにより、もって、前記流木捕捉部材３の本体を設置できる土台を構築する。
しかる後、前記流木捕捉部材３の本体を前記土台の各所のフランジへ位置決めし、対応する部位をフランジ接合６することにより、鳥居状の流木捕捉部材３が前記砂防堰堤１０から上流側へ張り出した張り出し構造を実現することができる。
【００２３】
したがって、上記構成の砂防堰堤改良構造および砂防堰堤改良工法によれば、以下の効果を奏する。
（１）前記砂防堰堤１０を切削又は嵩上げする等の大掛かりな作業を省略して実現できるので、施工性、経済性に非常に優れている。
（２）流木捕捉部材３が、前記既設堰堤１０から上流側へ張り出した張り出し構造で実施するので、水通し部１２を閉塞させることなく流木等の流下物を捕捉することが可能となる。具体的に、流木等の流下物は、前記ポケットＰ（図１Ｃ参照）の領域を確保した上でその前面部に設けた流木捕捉部材３、及び繋ぎ材４により事前に捕捉できる。よって、仮に流木捕捉部材３や繋ぎ材４が流木等の流下物で閉塞されても、当該閉塞部位から溢れた河川水は、ポケットＰの領域内へ流れ込んで水通し部１２を通過する。言うなれば、前記流木捕捉部材３と繋ぎ材４がフィルターの役割を果たすので、水通し部１２が閉塞する虞はなく、安全で良好な流水を維持すること可能となる。
（３）前記流木捕捉部材３は、前記砂防堰堤１０本体とコンクリート基礎９とで強固に固定されているので、強度・剛性に非常に優れた張り出し構造を実現することができる。
（４）流木等の流下物を既設堰堤１０の面外方向に張り出した流木捕捉部材３等で捕捉する構成なので、流木を捕捉した後の除木作業においては、既設堰堤１０の両袖部１１、１１の存在が邪魔にならないオープンスペースでの作業を実現できる。よって、作業効率性に優れる。
（５）前記砂防堰堤１０が満砂状態の場合でも、土砂浚渫作業は、前記コンクリート基礎９を構築するのに必要な領域で実施すれば足りるので、作業性、経済性に優れる。
（６）その他、前記張り出し構造の要所はフランジ接合で実施しているので、交換時の脱着作業や維持管理が容易である。
【実施例２】
【００２４】
図２Ａ〜Ｃは、上記実施例１に係る砂防堰堤改良構造および砂防堰堤改良工法のバリエーションを示している。
この実施例２に係る砂防堰堤改良構造は、上記実施例１（図１参照）と比し、水通し部１２の幅寸が拡大したことにより、鋼管柱材１の使用本数を２本から５本に増大させた点、コンクリート基礎９の幅寸を拡大させた点、鋼管梁材２を長尺化させた点、これらに伴い流木捕捉部材３の形態が変更された点が主に相違するに過ぎない。よって、上記実施例１の構成部材と同一の符号を付してその説明は省略する。
なお、図示の便宜上、鋼管柱材１等の各構成要素はコンパクト化しているが、鋼管柱材１の高さ寸法、使用する鋼管のサイズ等は上記実施例１と変わりない。
したがって、この実施例２に係る砂防堰堤改良構造および砂防堰堤改良工法によれば、上記実施例１と同様の技術的思想、すなわち、前記砂防堰堤１０を切削又は嵩上げすることなく、前記砂防堰堤１０の袖部１１、１１間に形成された水通し部１２の上流側へ複数（５本）の鋼管柱材１を設け、前記複数の鋼管柱材１を、鋼管梁材２および繋ぎ材４を介して前記砂防堰堤１０の両袖部１１、１１へ剛結することにより、当該複数の鋼管柱材１を前記砂防堰堤１０から上流側へ張り出して設けることにより当該砂防堰堤１０を改良する技術的思想に立脚していることに変わりないので、特に説明するまでもなく、上記実施例１と同様の作用効果を奏する（前記段落［００２３］参照）。
【実施例３】
【００２５】
図３Ａ〜Ｃは、上記実施例１に係る砂防堰堤改良構造および砂防堰堤改良工法のバリエーションを示している。
この実施例３に係る砂防堰堤改良構造は、上記実施例１、２と比し、前記鋼管梁材２の設置部位が主に相違する。具体的に、実施例３に係る鋼管梁材２は、前記砂防堰堤１０に架設され、前記鋼管柱材１と直接ではなく、繋ぎ材４を介して間接的に接合する構成で実施されている点が相違する（図３Ａ参照）。
【００２６】
この実施例３にかかる鋼製スリットダムは、既設の不透過型砂防堰堤１０に流木捕捉工を設けて改良する砂防堰堤改良構造であり、前記砂防堰堤１０の両袖部１１、１１の上流側側面間に鋼管梁材２が架設され、前記鋼管梁材２から上流側へ突き出した繋ぎ材４により鋼管柱材１が前記砂防堰堤１０から上流側へ張り出して設けられてなる。
【００２７】
前記鋼管梁材２は、複数本の鋼管材をフランジ接合（又は溶接等の接合手段）により適宜継ぎ足して前記砂防堰堤１０の両袖部１１、１１間の所定の高さ位置に、本実施例では上下２段に架設して実施される。具体的に、前記鋼管梁材２と前記砂防堰堤１０との接合手段は、本実施例では、鋼管梁材２の端部に溶接により一体化したプレート部材８を、砂防堰堤１０の上流側側面に当てがい複数のアンカーボルト７を打ち込んで固定している。
前記鋼管柱材１は、その脚部を前記砂防堰堤１０と一体的に設けられたコンクリート基礎９に埋設することにより、略鉛直方向に立設されている。ちなみに本実施例では、４本の鋼管柱材１を２ｍ程度の間隔をあけて、前記水通し部１２の面外方向にバランスよく設けて実施している。
前記繋ぎ材４は、その基端部が、前記鋼管梁材２と溶接により一体的に接合され、先端部が、前記鋼管柱材１の頂部と中間部に、溶接により一体的に接合されている。
前記鋼管柱材１、鋼管梁材２、繋ぎ材４はそれぞれ、要所（前記段落［００１７］参照）でフランジ接合６して実施されている。
【００２８】
なお、前記鋼管柱材１、鋼管梁材２の本数等が適宜設計変更されるのは上述した通りである（前記段落［００１９］、［００２０］参照）。
【００２９】
上記構成の砂防堰堤改良構造は、要するに、上記実施例１、２と同様に、前記砂防堰堤１０を切削又は嵩上げすることなく、前記砂防堰堤１０の袖部１１、１１間に形成された水通し部１２の上流側へ複数（４本）の鋼管柱材１を設け、前記複数の鋼管柱材１を、鋼管梁材２および繋ぎ材４を介して前記砂防堰堤１０の両袖部１１、１１へ剛結することにより、当該複数の鋼管柱材１を前記砂防堰堤１０から上流側へ張り出して設ける手段で実現される。
【００３０】
したがって、上記構成の砂防堰堤改良構造および砂防堰堤改良工法によれば、以下の効果を奏する。
（１）前記砂防堰堤１０を切削又は嵩上げする等の大掛かりな作業を省略して実現できるので、施工性、経済性に非常に優れている。
（２）鋼管柱材１が、前記既設堰堤１０から上流側へ張り出した張り出し構造で実施するので、水通し部１２を閉塞させることなく流木等の流下物を捕捉することが可能となる。  よって、仮に鋼管柱材１が流木等の流下物で閉塞されても、当該閉塞部位から溢れた河川水は、前面部を形成する４本の鋼管柱材１と両端部の繋ぎ材４、４との間に形成された領域内へ流れ込んで水通し部１２を通過するので、水通し部１２が閉塞する虞はなく、安全で良好な流水を維持すること可能となる。
（３）前記鋼管柱材１は、前記砂防堰堤１０本体とコンクリート基礎９とで強固に固定されているので、強度・剛性に非常に優れた張り出し構造を実現することができる。
（４）流木等の流下物を既設堰堤１０の面外方向に張り出した鋼管柱材１等で捕捉する構成なので、流木を捕捉した後の除木作業においては、既設堰堤１０の両袖部１１、１１の存在が邪魔にならないオープンスペースでの作業を実現できる。よって、作業効率性に優れる。
（５）前記砂防堰堤１０が満砂状態の場合でも、土砂浚渫作業は、前記コンクリート基礎９を構築するのに必要な領域で実施すれば足りるので、作業性、経済性に優れる。
（６）その他、前記張り出し構造の要所はフランジ接合６で実施しているので、交換時の脱着作業や維持管理が容易である。
【００３１】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
例えば、前記砂防堰堤１０の袖部１１の上流側側面は、図示例では、河川に対して直角方向（鉛直方向）に形成されているがこれに限定されず、下方へ向かって漸次拡大して傾斜方向に形成した袖部１１に対しても同様に実施できる。この場合、下段側に設ける繋ぎ材４を上段側よりも短くする等の設計変更は適宜行われるところである。
【符号の説明】
【００３２】
１    鋼管柱材
２    鋼管梁材
３    流木捕捉部材
４    繋ぎ材
５    ベースプレート
６    フランジ接合部
７    アンカーボルト
８    プレート部材
９    コンクリート基礎
１０    既設の不透過型砂防堰堤
１１    袖部
１２    水通し部
【図１】
0006595892.tif 000002
【図２】
0006595892.tif 000003
【図３】
0006595892.tif 000004